(57)【要約】      （修正有）【課題】広大な照明角度又は範囲を有するＬＥＤ光源モジュール及びランプを提供する。【解決手段】表面と表面の周辺を囲む側面を有する主体と、反射面を有する反射体とを含む。主体の側面には表面に隣接する第１部分と表面から離れる第２部分とを有し、発光ダイオードチップが第１部分に設置される。反射体の反射面は主体の側面の第２部分に設置され、この主体を囲む。また、反射面と主体の表面との間の狭角は、側面と表面との狭角より大きく、ランプは発光ダイオード光源モジュールを含み、光透過カバー内部に組み込まれ、光透過カバーは放熱体と接続して設置されるためのネック部を有し、放熱体はランプソケットと接続する。【選択図】図１Ａ
0003172056.tif 000002
【実用新案登録請求の範囲】
【請求項１】
表面及び少なくとも１つの側面を有する主体を備える発光ダイオード光源モジュールであって、
前記側面は前記表面に隣接する第１部分と前記表面から離れる第２部分とを有し、前記表面と前記側面とはそれぞれ少なくとも１つの発光ダイオードチップを含み、前記側面の前記発光ダイオードチップは前記第１部分に設置され、前記側面と前記表面との間には第１の所定狭角を有し、前記側面は前記表面の周辺を囲む、
発光ダイオード光源モジュール。
【請求項２】
少なくとも１つの反射面を有する反射体をさらに含み、
前記反射面は前記主体の前記側面の前記第２部分に設置され、前記反射面は前記主体を囲み、前記反射面と前記主体の前記表面との間には第２の所定狭角を有し、前記第２の所定狭角は前記第１の所定狭角より大きく、前記反射面は前記側面に含まれる前記発光ダイオードチップが生じる光源を反射する、
請求項１に記載の発光ダイオード光源モジュール。
【請求項３】
レンズをさらに含み、
前記レンズは前記主体の前記表面上の前記発光ダイオードチップに隣接し、前記主体の前記表面上の前記発光ダイオードチップが生じる光源を集め、前記レンズは両凸レンズ、平凸レンズ及び凹凸レンズからなるグループから選択される、
請求項１に記載の発光ダイオード光源モジュール。
【請求項４】
少なくとも請求項１、２又は３の何れか一項に記載の発光ダイオード光源モジュールと、
光透過カバーと、
放熱体と、
ランプソケットと、を含み、
前記発光ダイオード光源モジュールは前記光透過カバー内部に搭載され、前記光透過カバーは前記放熱体と接続して設置されるためのネック部を有し、前記光透過カバーの最大外径は放熱体の最大外径より大きい必要があり、前記放熱体は複数の放射状に配列されたフィンから構成され、前記放熱体の上下の両端は開口している又は空洞であり、前記放熱体の下端は前記ランプソケットに接続する、
ランプ。
【考案の詳細な説明】
【技術分野】
【０００１】
本考案は発光ダイオード（ＬＥＤ）光源モジュール及び当該モジュールを搭載するランプに関し、特に広大な照明角度（範囲）を有するＬＥＤ光源モジュール及びランプに関する。 
【背景技術】
【０００２】
ＬＥＤチップは節電且つ水銀成分を含まず、製品の性能及び環境保護を同時に備える特徴が注目され、現在の一般的な市場でよく見られる照明用の光源モジュールにおいて、ＬＥＤチップは従来の光源（例えば、蛍光灯や電球）に取って代わる勢いとなっている。また、従来の光源と比較して、ＬＥＤチップを採用した光源モジュールは、体積がより小さく、反応はより早く、より悪い動作環境にも耐えられるなどのメリットがある。 
【０００３】
現在の市場においてよく見られるＬＥＤ光源モジュールは、複数のＬＥＤチップを１つのモジュールに組み合わせ、複数のＬＥＤチップが生じる光源を利用して、照明に必要な光場を生じる。しかしながら、ＬＥＤチップによって生じる光源には特定の発光角度があり、一般的な市場でよく見られるＬＥＤ光源モジュールは、いずれもモジュールの背面の範囲を照らすことができなかったり、側面の光場の範囲が従来の電球の光場の範囲より小さいという欠点を有する。 
【考案の概要】
【考案が解決しようとする課題】
【０００４】
従って、本考案は、広大な照明角度又は範囲を提供し、モジュールの背面の範囲を照射でき、側面の光場の範囲を大きくできるＬＥＤ光源モジュールを提供することを目的とする。 
本考案は、広大な照明角度又は範囲を提供できるランプを提供することを別の目的とする。
【課題を解決するための手段】
【０００５】
本考案の実施の形態１に基づいて、ＬＥＤ光源モジュールを提供する。このＬＥＤ光源モジュールには主体と反射体とが含まれる。前記主体は表面と少なくとも１つの側面とを有し、側面は前記表面に隣接する第１部分と表面から離れる第２部分とを有し、且つ表面と側面とはいずれも少なくとも１つのＬＥＤチップを含み、側面のＬＥＤチップは第１部分に設置される。
また、側面と表面との間には第１の所定狭角を有し、且つ側面は前記表面の周辺を囲んでいる。反射体は少なくとも１つの反射面を有し、反射面は主体の側面の第２部分に設置され、且つ反射面は前記の主体を囲んでいる。また、反射面と主体の表面との間には第２の所定狭角を有し、且つ第２の所定狭角は前記第１の所定狭角より大きく、反射面は各側面に含まれるＬＥＤチップが生じる光源を反射する。
【０００６】
また、本考案の実施の形態２によると、主体表面の周辺の輪郭は、円形及び多辺形からなるグループから選択され、且つ主体の少なくとも１つの側面はそれぞれ１つの側面及び複数の側面からなるグループから対応して選択され、反射体の少なくとも１つの反射面はそれぞれ１つの反射面及び複数の反射面からなるグループから対応して選択される。
【０００７】
本考案の実施の形態３によると、上記のＬＥＤ光源モジュールはさらにレンズを含み、当該レンズは主体の表面上のＬＥＤウェアに隣接して、当該ＬＥＤチップが生じる光源を集める。
【０００８】
本考案の実施の形態４によると、上記のＬＥＤ光源モジュールの第１の所定狭角は９０度〜１８０度である。
【０００９】
本考案の実施の形態５によると、上記のＬＥＤ光源モジュールの第２の所定狭角は９０度〜１８０度である。
ここで、第２の所定狭角は前記第１の所定狭角より大きい必要がある。 
【００１０】
本考案の別の実施の形態に基づき、ランプを提供する。当該ランプは、上記の発光ダイオード光源モジュールを含み、当該発光ダイオード光源モジュールは光透過カバー内部に組み込まれ、当該光透過カバーは放熱体と接続して設置されるネック部を有し、当該放熱体はランプソケットと接続する。
【考案の効果】
【００１１】
本考案のメリットは、ＬＥＤ光源モジュールの主体の側面と反射体の反射面との配置関係により、ＬＥＤ光源モジュールに従来の電球が備えるレベルと同等レベルの照明角度又は範囲を生じさせることができることである。また、反射体における反射面の設置により、主体側面に設置されたＬＥＤチップが生じる光源をより効果的に利用できるため、ＬＥＤ光源モジュール全体の性能及び商品の競争力を向上させることができる。
【００１２】
また、当該ＬＥＤ光源モジュールを応用したランプは、当該ランプの光透過カバーにネック部を有しており、且つ当該放熱体が当該ネック部に接続して設けられていることにより、ネック部が遮蔽されず、ＬＥＤ光源モジュールの光源を、そこから投射させ、当該ランプの照明角度又は範囲を拡大させることができる。
【図面の簡単な説明】
【００１３】
本考案に対する観点をより理解しやすくするために、上記の詳細な説明とともに、相応の図面を参照する。産業上の基準や慣例に基づき、図面における各種特徴は比率通りには示されていないことを付記しておく。実際には、上記の実施の形態を明確に説明するために、各種特徴のサイズを任意で拡大又は縮小することができる。関連する図面の内容は以下の通りである。
【図１Ａ】本考案の実施の形態に基づくＬＥＤ光源モジュールの側面図と俯瞰図である。
【図１Ｂ】本考案の実施の形態に基づくＬＥＤ光源モジュールの側面図と俯瞰図である。
【図２】本考案の他の実施の形態に基づくＬＥＤ光源モジュールの側面図である。
【図３Ａ】本考案の実施の形態５に基づくＬＥＤ光源モジュールの俯瞰図である。
【図３Ｂ】本考案の実施の形態５に基づくＬＥＤ光源モジュールの俯瞰図である。
【図３Ｃ】本考案の実施の形態５に基づくＬＥＤ光源モジュールの俯瞰図である。
【図３Ｄ】本考案の実施の形態５に基づくＬＥＤ光源モジュールの俯瞰図である。
【図３Ｅ】本考案の実施の形態５に基づくＬＥＤ光源モジュールの俯瞰図である。
【図４】図本考案に基づくＬＥＤ光源モジュールをランプに応用した側面図である。
【考案を実施するための形態】
【００１４】
図１Ａ及び図１Ｂは、それぞれ本考案の実施の形態に基づくＬＥＤ光源モジュールの側面図と俯瞰図とを示す。本実施の形態では、ＬＥＤ光源モジュール１００は主体１０２と、反射体１０４とを含む。主体１０２は表面１０２ａと、４つの側面１０２ｂとを有する。しかしながら、その他の実施の形態では、主体１０２が有する側面の数量は本実施の形態に限らず、錐体又は柱状体を形成できれば良い。主体１０２では、図１Ａに示すように、各側面１０２ｂは表面１０２ａに隣接する第１部分１０２ｂａと表面１０２ａから離れる第２部分１０２ｂｂとを有する。また、表面１０２ａと各側面１０２ｂとは、いずれも少なくとも１つのＬＥＤチップ１０６を含み、且つ各側面１０２ｂ上に設置されたＬＥＤチップ１０６は、第１部分１０２ｂａに設置される。特定の実施の形態において、表面１０２ａ及び各側面１０２ｂが設置されるＬＥＤチップ１０６の数量は、設計の規格に応じて調整することができ、本実施の形態に限定されない。また、図１Ａに示すように、各側面１０２ｂと表面１０２ａとの間には、第１の所定狭角Ａ１を有する。さらに、上記の４つの側面１０２ｂは、図１Ｂに示すように、互いに順番に隣接しており、且つ４つの側面１０２ｂは上記の表面１０２ａの周辺を囲んでおり、これにより上記のような錐体又は柱状体を形成する。
【００１５】
本実施の形態では、反射体１０４は４つの反射面１０４ａを有する。しかしながら、その他の実施の形態では、反射体１０４が有する反射面の数量は本実施の形態に限らず、主体１０２が有する側面の数量に応じて設置すればよい。反射体１０４において、各反射面１０４ａはそれぞれ主体１０２の各側面１０２ｂにおける第２部分１０２ｂｂに設置され、且つこれらの反射面１０４ａは互いに順番に隣接しており、主体１０２を囲んで密封のリング状体を形成している。また、各反射面１０４ａと主体１０２の表面１０２ａとの間には、第２の所定狭角Ａ２を有し、且つ第２の所定狭角Ａ２は第１の所定狭角Ａ１より大きく、各反射面１０４ａの機能は各側面１０２ｂに含まれるＬＥＤチップ１０６が生じる光源を反射することである。
【００１６】
本実施の形態において、表面１０２ａ、各側面１０２ｂと各反射面１０４ａとは、実質的に１つの平面である。しかしながら、その他の実施の形態では、表面１０２ａ、各側面１０２ｂと各反射面１０４ａとは曲面であってもよく、その幾何学的形態は本実施の形態に限定されない。
【００１７】
図１Ａと図１Ｂに示す本考案の実施の形態から、ＬＥＤ光源モジュール１００が天井に設置される場合、主体１０２の表面１０２ａ上に設置されたＬＥＤチップ１０６が下向きの光源を提供し、主体１０２の側面１０２ｂ上に設置されたＬＥＤチップ１０６が横方向（水平）に投射する光源を提供する。しかしながら、一般的なＬＥＤチップ１０６の発光角度は約１２０度であるため、側面１０２Ｂ上に設置されたＬＥＤチップ１０６が生じる一部の光源は天井まで投射され、光源の無駄が生じる。側面１０２上のＬＥＤチップ１０６が生じる光源をより有効利用するために、反射体１０４を設置し、各側面１０２ｂ上に反射対１０４の反射面１０４ａを設置させ、反射面１０４が天井まで投射する光源の投射方向を水平又は下向きに調整する。
【００１８】
特定の実施の形態では、図１Ａと図１Ｂとに示す第１の所定狭角Ａ１は９０度〜１８０度であり、例えば９０度、９５度、１００度、１０５度、１１０度、１１５度又は１２０度であってよい。また、特定の実施の形態では、図１Ａと図１Ｂとに示す第２の所定狭角Ａ２は９０度〜１８０度であり、例えば１３５度、１４０度、１４５度、１５０度、１５５度、１６０度、１６５度、１７０度、１７５度又は１８０度であってよい。上記ように、第１の所定狭角Ａ１が９０度から１２０度であり、第２の所定狭角Ａ２が１３５度から１８０度である場合、ＬＥＤ光源モジュール１００全体の光場は、より良い照度均整度を達することができる。
【００１９】
特定の実施の形態において、上記の反射体１０４の反射機能を強化するために、反射体１０４の複数の反射面１０４ａの表面はよく見られる反射層（図示せず）を有し、反射層はアルミニウム層、銀層、鋼層又は鏡であってよい。
【００２０】
また、ＬＥＤ光源モジュール１００全体の光源の利用率を向上させるために、主体１０２の表面及び複数の側面１０２ｂは、よく見られる表面反射層（図示せず）を有することができ、表面１０２ａ又は各側面１０２ｂに含まれるＬＥＤチップ１０６が生じる光源を反射するために用いられる。また、特定の実施の形態において、上記の表面反射層はアルミニウム層、銀層、鋼層又は鏡であってよい。
【００２１】
図２は、本考案の他の実施の形態に基づくＬＥＤ光源モジュールの側面図である。図２に示すＬＥＤ光源モジュール２００は、図１Ａ及び図１Ｂに示すＬＥＤ光源モジュール１００に類似しているため、以下ではその差異についてのみ説明し、同一の部分については説明を省略する。ＬＥＤ光源モジュール２００には、さらにレンズ２０２が含まれ、レンズ２０２は主体１０２の表面１０２ａ上のＬＥＤチップ１０６に隣接する。レンズ２０２によって、主体１０２の表面１０２ａ上のＬＥＤチップ１０６が生じる光源が集められる。本実施の形態では、レンズ２０２は両凸レンズである。また、特定の実施の形態では、レンズ２０２は平凸レンズ又は凹凸レンズであってもよい。
【００２２】
図３Ａ〜図３Ｅは、それぞれ本考案の実施の形態５に基づくＬＥＤ光源モジュールの俯瞰図である。図３Ａ〜図３Ｅにおいて、ＬＥＤ光源モジュール３００Ａ〜３００Ｅは、図１Ａ及び図１Ｂに示すＬＥＤ光源モジュール１００に類似しているため、以下ではその差異についてのみ説明し、同一の部分については説明を省略する。図１Ａ及び図１Ｂにおいて、主体１０２の表面１０２ａの周辺の輪郭は四角形であり、上記の四角形に合わせて、主体１０２に４つの側面１０２ｂを設け、反射体１０４は４つの反射面１０４ａを設けた。図３Ａ〜図３Ｄに示すＬＥＤ光源モジュール３００Ａ〜３００Ｄは、主体の表面３０２ａ〜３０２ｄの周辺の輪郭はそれぞれ三角形、五角形、六角形及び七角形であり、且つ主体にはそれぞれ３つの側面、５つの側面、６つの側面及び７つの側面が対応して設置されており、その反射体については、それぞれ３つの反射面、５つの反射面、６つの反射面及び７つの反射面が対応して設置されている。また、図３Ｅにおいて、ＬＥＤ光源モジュール３００Ｅは、主体の表面３０２ｅの周辺の輪郭は円形であり、且つ主体には１つの側面３０４が対応して設置されており、その反射体は１つの反射面３０６が対応して設置されている。図３Ｅに示す実施の形態において、主体の側面３０４は表面３０２ｅの円形の周辺を囲んで設置され、反射面３０６は主体を囲んで設置され、側面３０４と接触する。
【００２３】
図４は、本考案の他の実施の形態に基づくＬＥＤ光源モジュールをランプカバー内部に搭載して構成されるランプの側面図である。図４に示すランプ４００は少なくとも図１〜図３のいずれかの発光ダイオード光源モジュール１００、２００、３００Ａ、３００Ｂ、３００Ｃ、３００Ｄ又は３００Ｅを含み、当該発光ダイオード光源モジュール１００、２００、３００Ａ、３００Ｂ、３００Ｃ、３００Ｄ又は３００Ｅは光透過カバー４０２の内部に搭載され、当該光透過カバー４０２はネック部４０４を有し、当該ネック部４０４は放熱体４０６と接続され、当該放熱体４０６はランプソケット４０８と接続する。ここで、当該放熱体４０６は複数の放射状に配列されたフィン４０６Ａから構成され、当該フィン４０６Ａの上下の両端は全て開口している。
これにより、当該光透過カバー４０２上にネック部４０４が設けられ、且つ当該放熱体４０６が当該ネック部４０４に接続して設けられると、当該光透過カバー４０２の最大外径は放熱体４０６の最大外径より大きい必要があり、それにより当該ネック部４０４の外側周辺が遮蔽されなくなり、且つ当該放熱体４０６の上下の両端は全て開口しているか空洞であることで、当該ＬＥＤ光源モジュール１００、２００、３００Ａ、３００Ｂ、３００Ｃ、３００Ｄ又は３００Ｅが生じる光源は同時に放熱体４０６の開口又は空洞部分を経由して、当該光透過カバー４０２の外に投射され、当該ランプ４００の照明角度又は範囲を拡大する効果を達する。
【００２４】
しかしながら、上記の主体の表面の周辺の輪郭は、上記の実施の形態に限定されない。主体表面の周辺の輪郭はいかなる多角形であってよく、この場合、主体には複数の側面が対応して設けられ、その反射体については、複数の反射面が対応して設けられる。
【００２５】
本考案は主体の側面に設置されたＬＥＤチップ、及び主体の側面と反射体の反射面との配置関係により、主体表面におけるＬＥＤチップが生じる光場を拡大し、３６０度又は広角の光を発光する。また、反射体における反射面の設置により、主体側面に設置されたＬＥＤチップが生じる光源をより効果的に利用できるため、ＬＥＤ光源モジュール全体の性能及び商品の競争力を向上させることができる。また、当該ＬＥＤ光源モジュールを応用したランプは、当該ランプの光透過カバーにネック部を有しており、且つ当該放熱体が当該ネック部に接続して設けられていることにより、ネック部が遮蔽されず、ＬＥＤ光源モジュールの光源を、そこから投射させ、当該ランプの照明角度又は範囲を拡大させることができる。
【００２６】
本考案の実施の形態は上記の通りであるが、これによって本考案は限定されることはなく、当業者は本考案を逸脱しない精神及び範囲内で、各種の変更及び追加が可能である。従って、本考案の保護範囲は「請求の範囲」によって定められる範囲を基準とする。
【符号の説明】
【００２７】
１００      ＬＥＤ光源モジュール
１０２      主体
１０２ａ    表面
１０２ｂ    側面
１０２ｂａ  第１部分
１０２ｂｂ  第２部分
１０４：    反射体
１０４ａ    反射面
１０４ａａ  第１側辺
１０４ａｂ  第２側辺
１０６      ＬＥＤチップ
２００      ＬＥＤ光源モジュール
２０２      レンズ
３００Ａ    ＬＥＤ光源モジュール
３００Ｂ    ＬＥＤ光源モジュール
３００Ｃ    ＬＥＤ光源モジュール
３００Ｄ    ＬＥＤ光源モジュール
３０２ａ    表面
３０２ｂ    表面
３０２ｃ    表面
３０２ｄ    表面
３０２ｅ    表面
３０４      側面
３０６      反射面
Ａ１        第１の所定狭角
Ａ２        第２の所定狭角
Ｄ          距離
４００      ランプ
４０２      光透過カバー
４０４      ネック部
４０６      放熱体
４０８      ランプソケット
【図１Ａ】
0003172056.tif 000003
【図１Ｂ】
0003172056.tif 000004
【図２】
0003172056.tif 000005
【図３Ａ】
0003172056.tif 000006
【図３Ｂ】
0003172056.tif 000007
【図３Ｃ】
0003172056.tif 000008
【図３Ｄ】
0003172056.tif 000009
【図３Ｅ】
0003172056.tif 000010
【図４】
0003172056.tif 000011